(57)【要約】【課題】広い空間を必要としないにも拘らず頻繁に見たい数十枚程度以上の写真を常に展示状態に維持しておくことができ、インテリアとしてもふさわしく、取扱いも容易な写真展示装置を提供する。【解決手段】写真貼付体１２の複数の台紙１５が順次に連結されていて少なくとも一部の台紙１５に写真が貼付されており、両端の台紙１５同士を互いに接続することによって複数の台紙１５が放射状に配置され、両端の台紙１５同士の接続状態を維持する磁石が写真貼付体１２に設けられている。また、基体１３とカバー１４とに囲まれる空間内に写真貼付体１２を収容したり、カバー１４上に基体１３を載置してこの基体１３上に写真貼付体１２を配置したりすることができる。更に、複数の台紙１５が放射状に配置されている状態の写真貼付体１２を周囲に位置決めすることのできる軸体２８を基体１３が備えている。【選択図】図１
2007215573.tif 000002
【特許請求の範囲】
【請求項１】
複数の台紙が順次に連結されていて少なくとも一部の前記台紙に写真が貼付されており、両端の前記台紙同士を互いに接続することによって前記複数の台紙が放射状に配置され、前記接続状態を維持する接続維持体が設けられている写真貼付体と、
前記複数の台紙が前記放射状に配置されている状態の前記写真貼付体を周囲に位置決めすることのできる軸体を備える基体と、
前記軸体の周囲に位置決めされている状態の前記写真貼付体を覆うことのできるカバーと
を具備する写真展示装置。
【請求項２】
前記カバーの少なくとも一部が透明である請求項１に記載の写真展示装置。
【請求項３】
前記複数の台紙が書籍状に成形されている請求項１に記載の写真展示装置。
【請求項４】
前記複数の台紙が葛折り状に連なっている請求項１に記載の写真展示装置。
【請求項５】
前記写真貼付体を覆っている状態の前記カバーの開口縁部と嵌合する凹部が前記基体の縁部に設けられている請求項１に記載の写真展示装置。
【請求項６】
前記基体のうちで前記軸体が前記写真貼付体を位置決めする面とは反対側の面に当接している状態の前記カバーの開口縁部と嵌合する凹部が前記基体の縁部に設けられている請求項１に記載の写真展示装置。
【請求項７】
前記放射状に配置されている前記複数の台紙のうちで互いに隣接する一対の台紙同士の間に配置されてこれら一対の台紙同士を一定の角度に保持する角度保持体を具備する請求項１に記載の写真展示装置。
【請求項８】
前記写真貼付体を位置決めしている前記軸体が水平状態にある前記基体と前記写真貼付体を覆っている前記カバーとを支持する支持体を具備する請求項１に記載の写真展示装置。
【請求項９】
前記両端の台紙の夫々に取り付けられている磁石が前記接続維持体である請求項１に記載の写真展示装置。
【請求項１０】
前記両端の台紙の夫々に取り付けられている面ファスナが前記接続維持体である請求項１に記載の写真展示装置。
【発明の詳細な説明】
【技術分野】
【０００１】
本発明は、複数枚の写真を常に展示状態に維持しておくことのできる写真展示装置に関するものである。
【背景技術】
【０００２】
頻繁に見たい写真は額の中に入れて展示しておくことが考えられ、写真が入れられている額はインテリアとしても使用することができる。ところが、頻繁に見たい写真の枚数が数十枚程度以上になると、これらの写真の総てを額の中に入れて展示しておくことは広い空間が必要であるので少なくとも一般家庭では困難であり、これらの写真は写真アルバム中に保存される場合が多い。写真アルバムでも、立位状態で且つ台紙を開いた状態にしておけば、複数枚の写真を頻繁に見ることができる。しかし、この様な状態の写真アルバムはインテリアとしてふさわしくない。
【発明の開示】
【発明が解決しようとする課題】
【０００３】
広い空間を必要としないにも拘らず頻繁に見たい数十枚程度以上の写真を常に展示状態に維持しておくことができ、インテリアとしてもふさわしく、取扱いも容易な写真展示装置があれば好ましい。しかし、この様な写真展示装置が従来は存在していなかった。従って、本発明は、広い空間を必要としないにも拘らず頻繁に見たい数十枚程度以上の写真を常に展示状態に維持しておくことができ、インテリアとしてもふさわしく、取扱いも容易な写真展示装置を提供することを目的としている。
【課題を解決するための手段】
【０００４】
請求項１に係る写真展示装置では、写真貼付体の複数の台紙が順次に連結されていて少なくとも一部の台紙に写真が貼付されており、両端の台紙同士を互いに接続することによって複数の台紙が放射状に配置され、両端の台紙同士の接続状態を維持する接続維持体が写真貼付体に設けられている。このため、複数の写真を放射状の配置状態に維持することができる。
【０００５】
また、基体とカバーとに囲まれる空間内に写真貼付体を収容したり、カバー上に基体を載置してこの基体上に写真貼付体を配置したりすることができ、しかも、上述の様に複数の写真を放射状の配置状態に維持することができるので、外観が優れている。更に、複数の台紙が放射状に配置されている状態の写真貼付体を周囲に位置決めすることのできる軸体を基体が備えているので、複数の台紙が放射状に配置されている状態の写真貼付体を基体に対して容易に位置決めすることができる。
【０００６】
請求項２に係る写真展示装置では、カバーの少なくとも一部が透明であるので、基体とカバーとに囲まれる空間内に写真貼付体を収容して写真の汚染や破損等を防止している状態でもカバーの外側から写真を見ることができる。
【０００７】
請求項３に係る写真展示装置では、写真貼付体の複数の台紙が書籍状に成形されているので、写真貼付体の形態が写真アルバムに類似している。
【０００８】
請求項４に係る写真展示装置では、写真貼付体の複数の台紙が葛折り状に連なっているので、各々の台紙の両面に写真を貼付しておけば、複数の台紙を放射状に配置するための操作方向を反転させることによって、異なる組の写真を見ることができる。
【０００９】
請求項５に係る写真展示装置では、写真貼付体を覆っている状態のカバーの開口縁部と嵌合する凹部が基体の縁部に設けられているので、これらの開口縁部と凹部とを嵌合させることによって基体上にカバーを容易に位置決めすることができる。
【００１０】
請求項６に係る写真展示装置では、基体のうちで軸体が写真貼付体を位置決めする面とは反対側の面に当接している状態のカバーの開口縁部と嵌合する凹部が基体の縁部に設けられているので、これらの開口縁部と凹部とを嵌合させることによってカバー上に基体を容易に位置決めすることができ、また、カバーが写真貼付体を覆っている状態でも基体に指を掛けて基体を持ち易い。
【００１１】
請求項７に係る写真展示装置では、写真貼付体の放射状に配置されている複数の台紙のうちで互いに隣接する一対の台紙同士の間に配置されてこれら一対の台紙同士を一定の角度に保持する角度保持体が具備されているので、所望の写真が貼付されている台紙とそれに隣接する台紙との間に角度保持体を配置することによって、所望の写真を見易い角度に台紙を保持することができる。
【００１２】
請求項８に係る写真展示装置では、写真貼付体を位置決めしている軸体が水平状態にある基体と写真貼付体を覆っているカバーとを支持する支持体が具備されているので、複数の写真を水車状に配置することができる。
【００１３】
請求項９に係る写真展示装置では、写真貼付体の両端の台紙の夫々に取り付けられている磁石が接続維持体であるので、接続と接続の解除とを容易に行うことができる。
【００１４】
請求項１０に係る写真展示装置では、写真貼付体の両端の台紙の夫々に取り付けられている面ファスナが接続維持体であるので、この接続維持体を低コストで実現することができる。
【発明の効果】
【００１５】
請求項１に係る写真展示装置では、複数の写真を放射状の配置状態に維持することができるので、広い空間を必要としないにも拘らず頻繁に見たい数十枚程度以上の写真を常に展示状態に維持しておくことができる。また、外観が優れているので、インテリアとしてもふさわしい。更に、複数の台紙が放射状に配置されている状態の写真貼付体を基体に対して容易に位置決めすることができるので、取扱いも容易である。
【００１６】
請求項２に係る写真展示装置では、基体とカバーとに囲まれる空間内に写真貼付体を収容して写真の汚染や破損等を防止している状態でもカバーの外側から写真を見ることができるので、インテリアとして更にふさわしい。
【００１７】
請求項３に係る写真展示装置では、写真貼付体の形態が写真アルバムに類似しているので、取扱いが更に容易である。
【００１８】
請求項４に係る写真展示装置では、写真貼付体の各々の台紙の両面に写真を貼付しておけば、複数の台紙を放射状に配置するための操作方向を反転させることによって、異なる組の写真を見ることができるので、展示状態にすることのできる写真の枚数を更に多くすることができる。
【００１９】
請求項５に係る写真展示装置では、カバーの開口縁部と基体の凹部とを嵌合させることによって基体上にカバーを容易に位置決めすることができるので、取扱いが更に容易である。
【００２０】
請求項６に係る写真展示装置では、カバーの開口縁部と基体の凹部とを嵌合させることによってカバー上に基体を容易に位置決めすることができ、また、カバーが写真貼付体を覆っている状態でも基体に指を掛けて基体を持ち易いので、取扱いが更に容易である。
【００２１】
請求項７に係る写真展示装置では、写真貼付体のうちで所望の写真が貼付されている台紙とそれに隣接する台紙との間に角度保持体を配置することによって、所望の写真を見易い角度に台紙を保持することができるので、所望の写真を常に容易に見ることができる。
【００２２】
請求項８に係る写真展示装置では、複数の写真を水車状に配置することができるので、多様性のあるインテリアとして利用することができる。
【００２３】
請求項９に係る写真展示装置では、写真貼付体の両端の台紙同士の接続と接続の解除とを容易に行うことができるので、取扱いが更に容易である。
【００２４】
請求項１０に係る写真展示装置では、接続維持体を低コストで実現することができるので、写真展示装置全体のコストも低減させることができる。
【発明を実施するための最良の形態】
【００２５】
以下、図面を参照しながら本発明の実施形態を説明する。図１が、一実施形態における各部分を示している。本実施形態の写真展示装置１１は、写真貼付体１２と基体１３とカバー１４とを具備している。図２に示されている様に、写真貼付体１２は４０枚程度の台紙１５を含む厚い書籍状であり、各々の台紙１５の両面に写真１６が貼付されている。写真１６としては、結婚式の写真や風景の写真等を用いることができる。
【００２６】
図３に示されている様に、台紙１５は、この台紙１５の材料用紙を葛折りに折り曲げ、この折り曲げで形成された両端の長方形部を除く連続する一対ずつの長方形部をそれらの対向面同士で互いに接着することによって、形成されている。このため、両端の台紙１５の厚さはそれ以外の台紙１５の厚さの半分である。そして、台紙１５の一方側の折り曲げ部１７を柔軟な背貼り１８で互いに連結することによって、台紙１５が書籍状に成形されている。両端の台紙１５の夫々の内側の面には、写真１６ではない装飾紙等が貼付されているが、写真１６が貼付されていてもよい。
【００２７】
両端の台紙１５の夫々の外側の面以外の面に写真１６や装飾紙等が貼付された後に、各々の台紙１５の四辺のうちで背貼り１８で連結されている辺以外の三辺において、図３中に一点鎖線で示されている様に、写真１６や装飾紙等と台紙１５とが同時に裁断される。この裁断後に、両端の台紙１５の夫々の外側の面に一対の厚い表紙２１、２２が貼付される。図２に示されている様に、一方の表紙２１には四個の磁石２３が取り付けられており、他方の表紙２２にも表紙２１の磁石２３と対応する位置に磁石２３とは反対極性の磁石２４が取り付けられている。なお、磁石２３、２４の代わりに面ファスナ等が用いられてもよい。
【００２８】
表紙２１の磁石２３の中央部には凹部２５が形成されており、表紙２２の磁石２４の中央部にも凹部２５と嵌合する凸部２６が形成されている。表紙２１、２２のうちで台紙１５側の面以外の面は、装飾性、耐破損性、耐汚染性等のために、薄い軟質合成樹脂シートで覆われている。なお、図３に示されている様に、台紙１５の材料用紙を葛折りに折り曲げる際に、背貼り１８とは反対側の折り曲げ部２７は、上述の様に後に裁断されるので、単純にＵ字状に折り曲げられるだけである。しかし、背貼り１８側の折り曲げ部１７は、Ｍ字状または上下反対に見てＷ字状に折り曲げられている。
【００２９】
このため、写真１６や装飾紙等が台紙１５に貼付されていなければ、表紙２１、２２の何れかを平坦面上に接触させる様に写真貼付体１２を転倒させるか、または表紙２１、２２を台紙１５に圧接させる様にこれらの表紙２１、２２側から写真貼付体１２に圧力を加えると、Ｍ字状またはＷ字状の折り曲げ部１７のために、互いに隣接している台紙１５同士のうちで折り曲げ部１７側の部分に隙間が生じ、互いに隣接している台紙１５同士が平行にならなくて、写真貼付体１２の全体が直方体のブロック状にならない。
【００３０】
しかし、写真１６や装飾紙等が台紙１５に貼付されているので、互いに隣接している台紙１５同士が平行になって、写真貼付体１２の全体が略完全な直方体のブロック状になる。逆に言えば、所定の大きさのＭ字状またはＷ字状の折り曲げ部１７が形成されて、写真１６や装飾紙等が台紙１５に貼付されている状態では、互いに隣接している台紙１５同士が平行になって、写真貼付体１２の全体が略完全な直方体のブロック状になる様に、葛折りに折り曲げられる台紙１５の材料用紙の厚さが選択されている。
【００３１】
図１に示されている様に、基体１３は、全体的には円盤状であり、アクリル樹脂製であって、白色である。基体１３の一方の面の中心部には透明な円筒状の軸体２８が立設されている。軸体２８は基体１３に固定されていても螺合等によって着脱可能であってもよい。基体１３のうちで軸体２８が立設されている面には、軸体２８と同心円状で高さが２ｍｍ程度の凸部２９が形成されており、縁部には２ｍｍ程度の深さの凹部３１が形成されている。また、基体１３のうちで軸体２８が立設されている面とは反対側の面の縁部にも、凹部３２が形成されている。
【００３２】
図１に示されている様に、カバー１４は、蓋面３３付きの円筒状であり、透明なアクリル樹脂製である。カバー１４の外周直径は基体１３の直径と等しく、カバー１４の周面３４の厚さは基体１３の凹部３１の幅よりも僅かに薄い。なお、基体１３の形状は円盤状以外の形状であってもよく、従ってカバー１４の形状も円筒状以外の形状であってもよい。
【００３３】
以上の様な写真展示装置１１で写真１６を展示するためには、まず、上述の様に略完全な直方体であるブロック状の写真貼付体１２の背貼り１８を基体１３の軸体２８の周面に接触させる様に、この写真貼付体１２を基体１３上に載置する。そして、一対の表紙２１、２２の磁石２３、２４が取り付けられている面同士が当接するまで、軸体２８の周囲でこれらの表紙２１、２２を互いに反対方向へ回動させる。表紙２１、２２の回動によってこれらの表紙２１、２２が互いに接近するにつれて、複数の台紙１５が放射状に配置されてゆく。
【００３４】
表紙２１、２２同士が当接すると、表紙２１の磁石２３の凹部２５と表紙２２の磁石２４の凸部２６とを嵌合させることによって表紙２１、２２同士を位置決めし、この嵌合と同時にこれらの磁石２３、２４同士を吸着させることによって表紙２１、２２同士の接続状態を維持する。表紙２１、２２同士が接続された後に、軸体２８の周囲で写真貼付体１２の全体を回転させることによって、基体１３に対する写真貼付体１２の所望の角度位置を選択することができる。
【００３５】
なお、上述の様に写真貼付体１２を基体１３上に載置し軸体２８の周囲で表紙２１、２２を互いに反対方向へ回動させるのではなく、基体１３上以外の場所で表紙２１、２２を互いに反対方向へ回動させて複数の台紙１５を放射状に配置した後に、背貼り１８によって形成された円筒部を軸体２８に外挿する様に写真貼付体１２を基体１３上に載置してもよい。
【００３６】
写真貼付体１２が軸体２８の周囲に位置決めされて複数の台紙１５が放射状に配置されると、写真貼付体１２をカバー１４で覆い、カバー１４の開口縁部３５を基体１３の凹部３１に嵌合させる。この嵌合によって写真１６の展示状態が完成し、この展示状態が図４に示されている。なお、複数の台紙１５が放射状に配置された写真貼付体１２の外周包絡面によって形成される円筒の外周直径よりもカバー１４の内周直径の方が２ｍｍ程度大きいので、カバー１４の内周面と台紙１５の外側縁部３６との間に摩擦を生じさせることなく写真貼付体１２をカバー１４で容易に覆うことができる。また、軸体２８の高さはこの展示状態における写真貼付体１２の高さの半分程度であるので、軸体２８の真上に近い角度から見なければ、軸体２８は外界から見えない。
【００３７】
既述の様にカバー１４の外周直径と基体１３の直径とが互いに等しいが、基体１３に凹部３２が形成されているので、この凹部３２に指を掛けることによって、展示状態の写真展示装置１１でも容易に持ち上げたり移動させたりすることができる。この展示状態では、基体１３とカバー１４とに囲まれている空間内に写真貼付体１２が収容されているので、写真１６の汚染や破損等が防止されているにも拘らず、カバー１４が透明であるので、カバー１４の外側から写真１６を見ることができる。なお、カバー１４外から写真１６を見るのに支障のないカバー１４の一部、例えば軸体２８の真上の部分等に、模様等の不透明または半透明の部分が形成されていてもよい。
【００３８】
図５は、図４とは異なる展示状態を示している。この展示状態では、カバー１４の上下方向を図４とは反転させて蓋面３３を底面とし、このカバー１４上に基体１３及び写真貼付体１２を載置する。このとき、カバー１４の開口縁部３５に基体１３の凹部３２が嵌合して、基体１３がカバー１４に対して位置決めされる。この展示状態では写真貼付体１２がカバー１４に覆われていないので、カバー１４が透明である必要はなく、従ってカバー１４が例えば紙製であってもよい。
【００３９】
図６は、写真貼付体１２に対して角度保持体３７が用いられている展示状態を示している。角度保持体３７は合成樹脂等から成る扇形の板状である。表紙２１、２２同士が接続されている状態で台紙１５が特別な外力を受けなければ、上述の様に複数の台紙１５が放射状に配置されている。このため、台紙１５の枚数が多ければ隣接する台紙１５同士の角度が小さくて、台紙１５に貼付されている写真１６を見にくい。各々の台紙１５に貼付されている写真１６を順次に見ていく場合は見る写真１６が貼付されている台紙１５とそれに隣接する台紙１５との角度を指で広げればよいが、この方法では所望の写真１６を見易い角度に台紙１５を保持することはできない。
【００４０】
この様な場合に、所望の写真１６が貼付されている台紙１５とそれに隣接する台紙１５との間に角度保持体３７を配置すれば、所望の写真１６を見易い角度に台紙１５を保持することができる。従って、角度保持体３７の扇形の角度は、写真１６をある程度容易に見ることのできる角度、例えば１２０°程度に設定されている。角度保持体３７には文字や模様等が付されていてもよい。なお、角度保持体３７は、必ずしも扇形である必要はなく、例えば環帯の所定角度部分であってもよい。
【００４１】
図７は、更に異なる展示状態を示している。この展示状態では、図４の様に組み立てられた写真展示装置１１の軸体２８が水平状態になっており、この状態の基体１３とカバー１４とを支持して写真展示装置１１の転動を防止する支持体３８が用いられている。この状態では複数の写真１６が水車状に配置されているので、縦長の写真１６の枚数よりも横長の写真１６の枚数の方が多い場合は、図４等の様な展示状態よりも図７の様な展示状態の方が写真１６を見易い。
【００４２】
図８は、別の実施形態における写真貼付体１２を示している。この写真貼付体１２では、台紙１５の材料用紙が葛折りに折り曲げられているだけであって、図３に示されている台紙１５の様には、台紙１５の材料用紙の折り曲げで形成された連続する一対ずつの長方形部がそれらの対向面同士で互いに接着されていない。この結果、図３に示されている台紙１５では互いに接着されていた面にも、写真１６を貼付することができる。従って、複数の台紙１５を放射状に配置するための操作方向を反転させることによって、異なる組の写真１６を見ることができる。
【産業上の利用可能性】
【００４３】
本発明は、複数枚の写真を常に展示状態に維持しておくことのできる写真展示装置の製造等に利用することができる。
【図面の簡単な説明】
【００４４】
【図１】本発明の一実施形態における各部分の斜視図である。
【図２】本発明の一実施形態における写真貼付体の斜視図である。
【図３】本発明の一実施形態における写真貼付体の製造過程の部分斜視図である。
【図４】展示状態にある本発明の一実施形態を示しており、（ａ）は斜め上方から見た斜視図、（ｂ）は斜め下方から見た斜視図である。
【図５】別の展示状態にある本発明の一実施形態の斜視図である。
【図６】角度保持体が使用されている本発明の一実施形態のうちの写真貼付体の斜視図である。
【図７】支持体が使用されている本発明の一実施形態の斜視図である。
【図８】本発明の別の実施形態における写真貼付体の平面図である。
【符号の説明】
【００４５】
１１    写真展示装置
１２    写真貼付体
１３    基体
１４    カバー
１５    台紙
１６    写真
２３    磁石（接続維持体）
２４    磁石（接続維持体）
２８    軸体
３１    凹部
３２    凹部
３５    開口縁部
３７    角度保持体
３８    支持体
【図１】
2007215573.tif 000003
【図２】
2007215573.tif 000004
【図３】
2007215573.tif 000005
【図４】
2007215573.tif 000006
【図５】
2007215573.tif 000007
【図６】
2007215573.tif 000008
【図７】
2007215573.tif 000009
【図８】
2007215573.tif 000010